(57)【特許請求の範囲】
【請求項１】
配線に装着した保護管の端部開口に被着され該端部開口を塞ぐ閉鎖板部を有する営巣防止具であって、
前記閉鎖板部の外周縁に該外周縁を囲むようにして前記保護管の両端部の開口に嵌合する環状縁枠部が設けられ、前記環状縁枠部は帯状に成形されると共にその一側面の長手方向の中央線に沿って前記閉鎖板部の外周縁が一体に設けられ、表面側と裏面側とで使い分けするように前記閉鎖板部の裏側では前記環状縁枠部の下端部の両側が切除されて切欠部が設けられ、
前記閉鎖板部はその一側を支点にして前記保護管の中心軸線と直交する面内で開閉できるように二分割され、
前記閉鎖板部の各分割端縁には該各分割端縁に沿って多数の切込を入れた櫛歯状部が設けられ、前記両櫛歯状部間から前記配線が引き出されるようにしたことを特徴とする営巣防止具。
【発明の詳細な説明】
【技術分野】
【０００１】
本発明は、特にワイヤーケーブルに吊り下げるようにして架設された配線に装着される保護管の端部開口からその内部に小鳥が侵入して営巣するのを未然に防止するようにした営巣防止具に関するものである。
【背景技術】
【０００２】
従来、電柱間のワイヤーケーブルに複数のケーブルハンガーにより吊り下げるようにして架設される電線、通信線といった配線がある。この配線、例えば通信線に装着される保護管は、ワイヤーケーブルとケーブルハンガーとを同時に覆うようにして通信線に装着されるので、ワイヤーケーブルを使用しない場合の通常の保護管よりも管内径が非常に大きく成形されている。また、この保護管は下端が長手方向に沿って拡開自在に分割されると共に両端部が開口しており、通常、通信線に複数本連接して装着される（例えば、特許文献１参照。）。
【特許文献１】特開２０００−２９９９１５号公報（第２−３頁、図１、図３）
【発明の開示】
【発明が解決しようとする課題】
【０００３】
しかしながら、前記特許文献１の保護管は、管内径が大きくしかも両端部が開口しているので、例えばその開口から保護管内に小鳥が入って営巣することがある。このように保護管内に小鳥が営巣すると、その糞が下方へ落下することとなり、人通りの多い場所では例えば人の頭に小鳥の糞が落ちたり、落ちずとも路面を汚し町の美化を損ねるという課題がる。
【０００４】
また、配線が例えば電線である場合は、営巣している小鳥が嘴で電線の被覆層を突いて穴をあけたり、営巣材が電線の芯線に触れたりして、短絡事故を起こし更には火災を発生させる危険性が有るが、このような事態は決して起きないようにする必要がある。
【０００５】
そこで、本発明は上記課題に鑑みてなされたもので、保護管の端部開口からその中に小鳥が侵入して営巣するのを未然に防止し、もって糞公害をなくすと共に短絡事故も起きないようにした営巣防止具を提供することを目的とするものである。
【課題を解決するための手段】
【０００６】
かかる目的を達成するために本発明に係る営巣防止具は、配線に装着した保護管の端部開口に被着され該端部開口を塞ぐ閉鎖板部を有する営巣防止具であって、前記閉鎖板部の外周縁に該外周縁を囲むようにして前記保護管の両端部の開口に嵌合する環状縁枠部が設けられ、前記環状縁枠部は帯状に成形されると共にその一側面の長手方向の中央線に沿って前記閉鎖板部の外周縁が一体に設けられ、表面側と裏面側とで使い分けするように前記閉鎖板部の裏側では前記環状縁枠部の下端部の両側が切除されて切欠部が設けられ、前記閉鎖板部はその一側を支点にして前記保護管の中心軸線と直交する面内で開閉できるように二分割され、前記閉鎖板部の各分割端縁には該各分割端縁に沿って多数の切込を入れた櫛歯状部が設けられ、前記両櫛歯状部間から前記配線が引き出されるようにした構成からなる。
【発明の効果】
【０００７】
本発明は、配線に装着した保護管の端部開口に該端部開口を塞ぐようにして営巣防止具を被着したので、該端部開口を介して保護管内に小鳥が侵入することができなくなる。よって、これにより小鳥が営巣するのを未然に防止することができ、糞公害をなくすことが可能になるばかりか、配線が電線の場合は短絡事故や火災発生をも起きないようにすることができ安心であるという効果がある。
【発明を実施するための最良の形態】
【０００８】
以下、本発明に係る営巣防止具の実施の形態を図面に基き詳しく説明する。本発明にあって、配線とは所謂送電のための電線と電話線や光ファイバケーブルといった通信線との両方を含む概念であり、本発明はこれらに使用される保護管のいずれにも適用できるが、その一例として送電のための電線用の保護管に適用される場合について説明する。図１は本発明に係る営巣防止具の表から見た斜視図、図２は同裏から見た斜視図である。
【０００９】
営巣防止具Ａは、例えばポリエチレン、高密度ポリエチレンといった合成樹脂材により成形され黒色に着色されており、自在に屈曲するようになっている。そして、営巣防止具Ａは後記する保護管２０の両端部の開口２０ａ，２０ｂのいずれにも被着できる大きさを有し、該各端部の開口２０ａ，２０ｂを塞ぐ閉鎖板部１と該閉鎖板部１の外周縁を囲み前記保護管２０の両端部の開口２０ａ，２０ｂに嵌合する環状縁枠部２とからなる。前記閉鎖板部１は縦長の長円板状をなし、また、環状縁枠部２は帯状に成形されると共にその一側面の長手方向の中央線に沿って前記閉鎖板部１の外周縁が一体に連設される。
【００１０】
また、営巣防止具Ａ、すなわち閉鎖板部１は、左右に等分に二分割されている。そして、環状縁枠部２の一側端である上端の中央部で一体に接合され、この接合部を支点３にして保護管２０の中心軸線と直交する面内で開閉できるようになっている。営巣防止具Ａにおける閉鎖板部１の表側（前面側）では、前記環状縁枠部２の下端部に下方へ延設される突片部４，４が一体に設けられる。そして、一方の突片部４に合成樹脂製の係合ピン５が取着され、他方の突片部４に該係合ピン５を挿通させて係合する係合孔６が開設されている。
一方、営巣防止具Ａにおける閉鎖板部１の裏側（後面側）では、環状縁枠部２の下端部の両側が切除され切欠部２ａが設けられている。
【００１１】
前記営巣防止具Ａは、表面側と裏面側とで使い分けするようになっている。すなわち、保護管２０の後記する継手管部２３側の端部の開口２０ａには営巣防止具Ａの裏面側を押し当てるようにして被着し、保護管２０の後記する嵌挿管部２２側の端部の開口２０ｂには営巣防止具Ａの表面側を押し当てるようにして被着する。これは、後記するように保護管２０の継手管部２３側の端部の開口２０ａが嵌挿管部２２側の端部の開口２０ｂよりも若干大きいためであり、その大きい継手管部２３側の開口２０ａに対しては前記したように環状縁枠部２の下端部を切除して切欠部２ａを設けることにより対応するようにしている。
【００１２】
前記閉鎖板部１の各分割端縁１ａ，１ａには、各分割端縁１ａに沿って各分割端縁１ａと直交する向きに多数の切込が入れられ櫛歯状部７が設けられる。この両櫛歯状部７，７間から後記するワイヤーケーブルＷ及び配線としての電線Ｄが引き出されることになる。各櫛歯状部７はその上半部７ａの切込が浅く、下半部７ｂの切込が深くなっている。これは、前記ワイヤーケーブルＷよりも電線Ｄの方が太いことによる。
【００１３】
次に、本発明に係る営巣防止具Ａが適用される保護管２０について説明する。図３は保護管の分解斜視図、図４は図３のＷ−Ｗ線断面図である。保護管２０は耐磨耗性に優れた所定の長さの本体管２１を有する。該本体管２１は、耐摩耗性に優れたポリエチレン樹脂により形成されており、本体管２１の長手方向の一端に嵌挿管部２２が一体に設けられると共に他端に連接するため嵌挿管部２２が嵌合される継手管部２３が設けられている。これら両端部である嵌挿管部２２と継手管部２３の端面は開口２０ａ，２０ｂしている。嵌挿管部２２側の端部の開口２０ｂより継手管部２３側の端部の開口２０ａの方が若干大径である。
【００１４】
そして、保護管２０全体の下端は長手方向に沿って拡開自在に分割２４され、本体管２１と嵌挿管部２２の分割２４端縁には互いに密着する突出片部２５，２５が下方へ延設され、継手管部２３にあっては、前記突出片部２５，２５を外から挟着する突出片部２６，２６が同じく下方へ延設されている。嵌挿管部２２と継手管部２３側の突出片部２５，２５，２６，２６には複数の保護管２０，２０…を連接するため後記する割リング３０を挿通させるリング挿通孔２７，２７が開設されている。
【００１５】
更に詳しく説明すると、本体管２１は、ワイヤーケーブルＷと該ワイヤーケーブルＷに後記する多数のケーブルハンガーＨを介して吊り下げられる電線Ｄとを覆うようにして装着できる大きさを有し、図７に示すようにその内周面がケーブルハンガーＨにほぼ合致する縦寸法を有し、しかも、電線Ｄの軸方向と直交する面内で無用に回動し得ないように縦長の断面楕円形に形成されている。
【００１６】
また、継手管部２３の内径は嵌挿管部２２が嵌合されるように一回り大きい断面楕円形に形成される。その外周面の略中央に中心軸線方向に沿って所定の間隔離れた一対の突条２８，２８が設けられ、両突条２８，２８間に成形される環状溝部２９のみ図７に示すように断面円形に形成される。この環状溝部２９と前記突出片部２６，２６に開設されたリング挿通孔２７，２７とは一致している。
【００１７】
図３において、３０は環状溝部２９に嵌合する弾力性の有る割リングであり、該割リング３０は前記環状溝部２９に嵌合するように円環帯状に形成され、下部が切除されている。そして、その一端３０ａに折曲片３１が設けられ、他端３０ｂはリング挿通孔２７，２７に挿通し易くするため先が鋭角に尖っている。また、外周面のほぼ中間位置には摘み片３２が突設されている。
【００１８】
図５は本発明に係る営巣防止具の使用状態を示す斜視図、図６は同営巣防止具を被着した継手管部部位の拡大斜視図、図７は図６のＸ−Ｘ線断面図である。図中、Ｗはワイヤーケーブルであって電柱（図示せず。）間に架設される。また、Ｈは該ワイヤーケーブルＷに所定の間隔離して多数掛止されるケーブルハンガーであって、これら多数のケーブルハンガーＨに電線Ｄが吊り下げられて電柱間に架設されることになる。
【００１９】
そこで、まず必要本数の保護管２０を用意し、前記ワイヤーケーブルＷの上方から突出片部２５，２５及び２６，２６を拡開させて各保護管２０（本発明では、二本の保護管２０を連接した場合を示す。）を被着させる。このようにして所要数の保護管２０を同じ向きで電線Ｄに被着した後、先の保護管２０１に後の保護管２０２を接続するには、先の保護管２０１の嵌挿管部２２を後の保護管２０２の継手管部２３に挿入し、互いのリング挿通孔２７，２７を連通させた状態で、図７矢印に示すように環状溝部２９に嵌合した割リング３０をその外周面に沿わせて摺回動させつつリング挿通孔２７，２７，２７，２７に挿通する。
【００２０】
割リング３０は、摺動させる前は中間の摘み片３２が環状溝部２９上端の突条２８，２８間に差し渡した停止杆３３の一側に当接し、摺動した後は基端の折曲片３１が停止杆３３の他側に当接するようになっている。これは、割リング３０が環状溝部２９から脱落するのを防止するためである。これにより先の保護管２０１と後の保護管２０２が連結され、以後同様の手順により所要本数の保護管２０，２０…が連接されることになる。
【００２１】
そして、この状態で先の保護管２０１の継手管部２３側で、その開口２０ａに営巣防止具Ａの裏面側が対向位置するようにして営巣防止具Ａを配置する。そして、該営巣防止具Ａを支点３を中心として拡開し、環状縁枠部２を継手管部２３の端部外周面に被着すると共に下端部の両突片部４，４を重ね、係合ピン５を対向する係合孔６に係合させて両突片部４，４を連結する。この際、ワイヤーケーブルＷ及び電線Ｄは閉鎖板部１の分割端縁１ａ，１ａ間から引き出される。これにより、先に位置する保護管２０の継手幹部２３側の端部の開口２０ａに営巣防止具Ａが装着される。
【００２２】
同様にして後に位置する保護管２０２の嵌挿管部２２側の端部の開口２０ｂにも営巣防止具Ａを装着する。この場合は、その開口２０ｂに営巣防止具Ａの表面側を対向位置させる。
【００２３】
この際、前記閉鎖板部１では、付き合わされる各分割端縁１ａ，１ａに櫛歯状部７，７が設けられているので、図６、図８、図９に示すようにワイヤーケーブルＷと電線Ｄ部位では対応する櫛歯状部７ａ，７ｂにおける切込間のブラシ片８がワイヤーケーブルＷや電線Ｄの外周面にまとわり付くように接触する。一方、分割端縁１ａ，１ａの他の部位、すなわちワイヤーケーブルＷと電線Ｄとの間では、対向する分割端縁１ａ，１ａが互いに余り外側へ広がらないようになって開口２０ａ，２０ｂを塞いでおり、互いの分割端縁１ａ，１ａ間に小鳥が侵入し得るほどの隙間が生じることはない。
【００２４】
これにより、小鳥が保護管２０内に侵入して営巣するのを未然に防止することができ、糞公害をなくすことが可能になるばかりか、配線が電線Ｄの場合は短絡事故や火災発生をも起きないようにすることができ安心である。
【図面の簡単な説明】
【００２５】
【図１】本発明に係る営巣防止具の表から見た斜視図。
【図２】同営巣防止具の裏から見た斜視図。
【図３】保護管の分解斜視図。
【図４】図３のＷ−Ｗ線断面図。
【図５】本発明に係る営巣防止具の使用状態を示す斜視図。
【図６】同営巣防止具を被着した継手管部部位の拡大斜視図。
【図７】図５のＸ−Ｘ線断面図。
【図８】図７のＹ−Ｙ線断面図。
【図９】図７のＺ−Ｚ線断面図。
【符号の説明】
【００２６】
１            閉鎖板部
１ａ          分割端縁
３            支点
７            櫛歯状部
２０          保護管
２０ａ        開口
２０ｂ        開口
Ａ            営巣防止具
Ｄ            配線（電線）
【図１】
0004745053.tif 000002
【図２】
0004745053.tif 000003
【図３】
0004745053.tif 000004
【図４】
0004745053.tif 000005
【図５】
0004745053.tif 000006
【図６】
0004745053.tif 000007
【図７】
0004745053.tif 000008
【図８】
0004745053.tif 000009
【図９】
0004745053.tif 000010